(57)【要約】【課題】本発明は、２軸ヒンジロック機構を有する情報処理装置に関し、特に、表示ユニットを開閉軸線のまわりに所定の角度で回転させた後、回転軸線まわりに回転動作を行う際に、上記表示ユニットの回転軸線まわりの回転動作を規制することにより、表示ユニットとキーボード部の接触をより確実に防止することができる２軸ヒンジロック機構を有する情報処理装置を提供することを目的とする。【解決手段】表示ユニット２とキーユニット４との開閉用軸線６まわりの開閉角度が、角度ｂに満たない角度ａの場合は、ロック用ピン１２のロック側先端部１４はヒンジキャビ穴部１５から突出した状態にあり、ロック側先端部１４はロック穴部２０に収容された状態のままである。この状態下においては、表示ユニット２はヒンジキャビ１０に固定、ロックされたままになっているため、表示ユニット２の回転軸線７まわりの回転が抑止される。【選択図】　　図５
2004118409.tif 000002
【特許請求の範囲】
【請求項１】
表面に表示部を有する表示ユニットと、キーボード部を有するキーユニットと、前記表示ユニットと前記キーユニットを結合する２軸のヒンジユニットとからなり、前記表示ユニットと前記ヒンジユニットが、前記ヒンジユニットが有する第１の軸線まわりに前記表示ユニットが開閉可能になるとともに、前記ヒンジユニットが有する第２の軸線まわりに前記表示ユニットが回転可能となるように連結され、前記ヒンジユニットが有する第２の軸線まわりの前記表示ユニットの回転を拘束する回転ロック機構部を備えた情報処理装置において、前記回転ロック機構部には、情報処理装置本体に固定されたカム部と、突起部を有し、前記表示ユニットの開閉角度に応じて前記カム部の周囲を摺動するロック用ピンと、前記ロック用ピンを前記カム部に押し当てるように作用するロック用ピン保持用バネと、前記突起部が収納される収納部が設けられており、前記表示ユニットの開閉角度が所定の角度に満たない場合は、前記突起部が突出するとともに前記収納部に収納されることにより、前記表示ユニットが前記第２の軸線まわりに回転しないようにし、前記表示ユニットの開閉角度が所定の角度以上の場合は、前記突起部は突出せず、前記表示ユニットが前記第２の軸線まわりを回転可能となることを特徴とする情報処理装置。
【請求項２】
前記カム部、前記ロック用ピン、及び前記ロック用ピン保持用バネは、前記ヒンジユニットに設けられており、前記収納部は前記表示ユニットに設けられていることを特徴とする請求項１に記載の情報処理装置。
【請求項３】
前記カム部、前記ロック用ピン、及び前記ロック用ピン保持用バネは、前記表示ユニットに設けられており、前記収納部は前記ヒンジユニットに設けられていることを特徴とする請求項１に記載の情報処理装置。
【請求項４】
前記回転ロック機構部を複数設けたことを特徴とする請求項１乃至３に記載の情報処理装置。
【請求項５】
表面に表示部を有する表示ユニットと、キーボード部を有するキーユニットと、前記表示ユニットと前記キーユニットを結合する２軸のヒンジユニットとからなり、前記表示ユニットと前記ヒンジユニットが、前記ヒンジユニットが有する第１の軸線まわりに前記表示ユニットが開閉可能になるとともに、前記ヒンジユニットが有する第２の軸線まわりに前記表示ユニットが回転可能となるように連結され、前記ヒンジユニットが有する第２の軸線まわりの前記表示ユニットの回転を拘束する回転ロック機構部を備えた情報処理装置において、前記回転ロック機構部には、情報処理装置本体に固定された回転ロック用凸部と、前記回転ロック用凸部が収納される回転ロック用凹部が設けられており、前記表示ユニットの開閉角度が所定の角度に満たない場合は、前記回転ロック用凸部が前記回転ロック用凹部に収納されることにより、前記表示ユニットが前記第２の軸線まわりに回転しないようにし、前記表示ユニットの開閉角度が所定の角度以上の場合は、前記回転ロック用凸部は前記回転ロック用凹部に収容されず、前記表示ユニットが前記第２の軸線まわりを回転可能となることを特徴とする情報処理装置。
【請求項６】
前記回転ロック用凸部は、前記ヒンジユニットに設けられており、前記回転ロック用凹部は前記表示ユニットに設けられていることを特徴とする請求項５に記載の情報処理装置。
【請求項７】
前記回転ロック用凸部は、前記表示ユニットに設けられており、前記回転ロック用凹部は前記ヒンジユニットに設けられていることを特徴とする請求項５に記載の情報処理装置。
【請求項８】
前記回転ロック用凸部は、前記キーユニットに設けられており、前記回転ロック用凹部は前記表示ユニットに設けられていることを特徴とする請求項５に記載の情報処理装置。
【請求項９】
前記回転ロック用凸部は、前記表示ユニットに設けられており、前記回転ロック用凹部は前記キーユニットに設けられていることを特徴とする請求項５に記載の情報処理装置。
【請求項１０】
前記回転ロック機構部を複数設けたことを特徴とする請求項５乃至９に記載の情報処理装置。
【発明の詳細な説明】
【０００１】
【発明の属する技術分野】
本発明は、表示部の開閉が可能な情報処理装置において、特に、２軸ヒンジロック機構を有する情報処理装置に関する。
【０００２】
【従来の技術】
近年、パソコンに代表される情報処理装置において、ラップトップ型のパソコンの中には、それらの本体部に対して、画面となる液晶表示部を有する表示ユニットが開閉可能に設けられるとともに、表示ユニットが開かれた状態で、上記本体部に略直交する軸線まわりに当該表示ユニットが回転自在となるものが知られている。そして、この様な動作を可能とするために、上記ラップトップ型のパソコンにおいては、上記表示ユニットとキーボードを有するキーユニットとの間に２軸ヒンジ装置が設けられている。この２軸ヒンジ装置は、表示ユニットが開閉可能となる第１の軸線と、表示ユニットが回転自在となる第２の軸線を有し、上記表示ユニットが第１の軸線まわりに所定の角度で開閉した時に、当該表示ユニットが第２の軸線まわりに回転自在となる（例えば、特許文献１参照）。
【０００３】
【特許文献１】
特開２００１−２２７２２９号公報（第６−８頁、第１−６図）
【０００４】
【発明が解決しようとする課題】
図２８は、従来の２軸ヒンジ装置を用いた情報処理装置において、表示ユニットの開閉動作中に回転動作を行った図である。本図に示す様に、従来の２軸ヒンジ装置を用いた情報処理装置では、表示部１を有する表示ユニット２に対して、表示ユニット２の開閉動作の回転軸である開閉軸線６のまわりに回転動作を行った後、回転軸線７のまわりに回転動作を行うと、表示ユニット２側のコーナー部３６がキーボード３を有するキーユニット４と接触するという問題が生じてしまう。即ち、図２９に示す様に、表示ユニット２がキーユニット４に対して閉じている状態から、図３０に示す様に、表示ユニット２を開閉軸線６のまわりに所定の回転角度αだけ回転させ、その後、回転軸線７まわりに表示ユニット２の回転動作を行うと、図３１に示す様に、表示ユニット２側のコーナー部３６とキーユニット４が接触してしまい、当該コーナー部３６とキーユニット４が傷ついてしまうという問題が生じていた。
【０００５】
本発明は、上記問題点を解決し、表示ユニットを開閉軸線のまわりに所定の角度回転させた後、回転軸線まわりに回転動作を行う際に、開閉軸線まわりの回転角度が所定の角度以下の場合は、上記表示ユニットの回転軸線まわりの回転動作を規制することにより、表示ユニットとキーユニットの接触をより確実に防止することができる２軸ヒンジロック機構を有する情報処理装置を提供することを目的とする。
【０００６】
【課題を解決するための手段】
上記目的を達成するために、本発明は、表面に表示部を有する表示ユニットと、キーボード部を有するキーユニットと、表示ユニットとキーユニットを結合する２軸のヒンジユニットとからなり、表示ユニットとヒンジユニットが、ヒンジユニットが有する第１の軸線まわりに表示ユニットが開閉可能になるとともに、ヒンジユニットが有する第２の軸線まわりに表示ユニットが回転可能となるように連結され、ヒンジユニットが有する第２の軸線まわりの表示ユニットの回転を拘束する回転ロック機構部を備えた情報処理装置において、回転ロック機構部には、情報処理装置本体に固定されたカム部と、突起部を有し、表示ユニットの開閉角度に応じてカム部の周囲を摺動するロック用ピンと、ロック用ピンをカム部に押し当てるように作用するロック用ピン保持用バネと、突起部が収納される収納部が設けられており、表示ユニットの開閉角度が所定の角度に満たない場合は、突起部が突出するとともに収納部に収納されることにより、表示ユニットが第２の軸線まわりに回転しないようにし、表示ユニットの開閉角度が所定の角度以上の場合は、突起部は突出せず、表示ユニットが第２の軸線まわりを回転可能となることを特徴とする。
【０００７】
この構成によると、表示部の開閉角度が所定の角度に満たない場合は、突起部が収納部に収納されるため、表示ユニットが第２の軸線まわりに回転することを抑止することができ、その結果、表示ユニットとキーユニットの接触を回避することができる。
【０００８】
又、本発明においては、カム部、ロック用ピン、及びロック用ピン保持用バネをヒンジユニットに設け、収納部を表示ユニットに設ける構成とすることができ、カム部、ロック用ピン、ロック用ピン保持用バネを表示ユニットに設け、収納部をヒンジユニットに設ける構成とすることもできる。
【０００９】
又、本発明においては、回転ロック機構部を複数設けたことを特徴とする。この構成によると、表示ユニットによる第２の軸線まわりの回転を確実に抑止することができる。
【００１０】
又、本発明は、表面に表示部を有する表示ユニットと、キーボード部を有するキーユニットと、表示ユニットとキーユニットを結合する２軸のヒンジユニットとからなり、表示ユニットとヒンジユニットが、ヒンジユニットが有する第１の軸線まわりに表示ユニットが開閉可能になるとともに、ヒンジユニットが有する第２の軸線まわりに表示ユニットが回転可能となるように連結され、ヒンジユニットが有する第２の軸線まわりの表示ユニットの回転を拘束する回転ロック機構部を備えた情報処理装置において、回転ロック機構部には、情報処理装置本体に固定された回転ロック用凸部と、回転ロック用凸部が収納される回転ロック用凹部が設けられており、表示ユニットの開閉角度が所定の角度に満たない場合は、回転ロック用凸部が回転ロック用凹部に収納されることにより、表示ユニットが第２の軸線まわりに回転しないようにし、表示ユニットの開閉角度が所定の角度以上の場合は、回転ロック用凸部は回転ロック用凹部に収容されず、表示ユニットが第２の軸線まわりを回転可能となることを特徴とする。
【００１１】
この構成によると、表示部の開閉角度が所定の角度に満たない場合は、回転ロック用凸部が回転ロック用凹部に収納されるため、表示ユニットが第２の軸線まわりに回転することを抑止でき、その結果、表示ユニットとキーユニットの接触を回避することができる。
【００１２】
又、本発明においては、回転ロック用凸部をヒンジユニットに設け、回転ロック用凹部を表示ユニットに設けることができ、回転ロック用凸部を表示ユニットに設け、回転ロック用凹部をヒンジユニットに設けることもできる。
【００１３】
更に、本発明においては、回転ロック用凸部をキーユニットに設け、回転ロック用凹部を表示ユニットに設けることができ、回転ロック用凸部を表示ユニットに設け、回転ロック用凹部をキーユニットに設けることもできる。
【００１４】
又、本発明においては、回転ロック機構部を複数設けたことを特徴とする。この構成によると、表示ユニットによる第２の軸線まわりの回転を確実に抑止することができる。
【００１５】
【発明の実施の形態】
以下、図面を参照して、本発明の実施形態を詳細に説明する。図１は、本発明の第１の実施形態に係る情報処理装置の斜視図であり、図２は、図１に示した情報処理装置において、表示ユニットの開閉動作の回転軸線である開閉軸線のまわりに回転動作を行った状態を示す斜視図であり、図３は、図２に示した情報処理装置において、表示ユニットの回転軸線まわりの回転動作を行った状態を示す斜視図である。尚、本実施形態においては、図２８〜図３１にて説明した従来技術に係る情報処理装置と同一構成部材には同一符号を付けて示している。
図１〜図３において、情報処理装置５０は、大別すると、表示部１を有する表示ユニット２と、入力キーボード３を有するキーユニット４と、表示ユニット２側とキーユニット４側とをつなぐ２軸のヒンジユニット５にて構成されている。
【００１６】
ヒンジユニット５は、表示ユニット２とキーユニット４との開閉動作を行うための開閉用軸線６と、表示ユニット２を回転させる回転用軸線７を有している。又、情報処理装置５０は、ヒンジユニット５が有する開閉用軸線６まわりに表示ユニット２が回転することにより開閉する開閉機構部（図示せず）と、ヒンジユニット５が有する回転用軸線７まわりに表示ユニット２が回転する回転機構部（図示せず）を備えており、表示ユニット２とヒンジユニット５は、表示ユニット２の開閉用軸線６まわりの開閉、及び回転用軸線７まわりの回転が可能となるように、当該回転機構部により連結されている。図２に示す様に、表示ユニット２を軸線６のまわりに矢印８の方向に回転させることにより、表示ユニット２が使用角度まで開いた状態となり、表示ユニット２を軸線６のまわりに矢印８の方向に回転させた後、軸線７のまわりに矢印９の方向に回転させることにより、情報処理装置５０は図３に示した状態となる。
【００１７】
図４は、図１のＡ−Ａ断面図であり、本実施形態における回転ロック機構部の構成を示している。この回転ロック機構部は、カム部１１と、ロック用ピン１２と、ロック用ピン保持用バネ１３と、ロック穴部２０から構成されており、図４に示す様に、カム部１１、ロック用ピン１２、及びロック用ピン保持用バネ１３はヒンジユニット５に設けられており、ロック穴部２０は表示ユニット２に設けられている。
【００１８】
このカム部１１には、表示ユニット２とキーユニット４との開閉動作を行う際の回転用軸４０が貫通されており、当該カム部１１は情報処理装置５０の本体に固定されている。又、ロック用ピン１２は、ヒンジキャビ１０に取り付けられており、ロック用ピン１２のロック側先端部１４が、ヒンジキャビ１０に形成されたヒンジキャビ穴部１５より突出しており、このロック側先端部１４が表示ユニット２に設けられたロック穴部２０に挿入され、収納されている。尚、このヒンジキャビ１０は、カム部１１とロック用ピン１２とロック用ピン保持用バネ１３を保護している。ロック用ピン保持用バネ１３は、ヒンジキャビ１０に設けられた壁部１６とロック用ピン１２に設けられたストッパー１７との間に収容されており、ロック用ピン１２を常にカム部１１の表面に押し当てるように作用する。ロック用ピン１２のカム側先端部１８は、上述のロック用ピン保持用バネ１３の作用により、カム部１１の表面に常に接触した状態となっており、当該ロック用ピン１２は、表示ユニット２の開閉角度に応じてカム部１１の周囲を摺動する構造となっている。
【００１９】
次に、本実施形態における回転ロック機構の動作について説明する。図５〜図７は、図１のＡ−Ａ断面図であり、図５は、表示ユニット２を軸線６のまわりに矢印８の方向に回転させることにより、回転ロック機構によるロックが解除される間際の状態を示している。
【００２０】
図４に示す状態から、表示ユニット２を軸線６のまわりに回転させ開いていくと、カム部１１は、表示ユニット２の軸線６まわりの回転動作には影響を受けず、情報処理装置５０の本体に常に固定されているため、ロック用ピン１２のカム側先端部１８は、カム部１１の外周形状に沿って移動する。この際、ロック用ピン保持用バネ１３の付勢力により、ロック用ピン１２はカム部１１側に押し戻され、ロック用ピン１２の位置が変化する。このロック用ピン１２の位置移動により、ロック用ピン１２のロック側先端部１４のヒンジキャビ穴部１５からの突出量が変化する。
【００２１】
ここで、表示ユニット２とキーユニット４との開閉用軸線６まわりの開閉角度が、図５に示す角度ｂに満たない角度ａの場合は、ロック用ピン１２のロック側先端部１４はヒンジキャビ穴部１５から突出した状態にあり、ロック側先端部１４はロック穴部２０に収納された状態のままである。従って、表示ユニット２はヒンジキャビ１０に固定、ロックされたままになっており、表示ユニット２の軸線７まわりの回転が抑止されることになる。即ち、ロック用ピン１２のロック側先端部１４が、ロック穴部２０に挿入された状態にあるときは、軸線７まわりの回転を行うと、ロック側先端部１４とロック穴２０が接触するため、表示ユニット２の軸線７まわりの回転が抑止されることになる。
【００２２】
表示ユニット２とキーユニット４との開閉用軸線６まわりの開閉角度が、図５に示す角度ａより大きい角度ｂ以上になると、ロック用ピン１２のカム側先端部１８は、カム部１１に接触した状態で、カム部１１の外周形状に沿って移動するとともに、ロック用ピン１２の位置が変化し、ロック用ピン１２のロック側先端部１４のヒンジキャビ穴部１５からの突出量が０以下の状態となる。即ち、ロック用ピン１２のロック側先端部１４がヒンジキャビ穴部１５から突出しない状態となり、ロック側先端部１４のロック穴部２０への収納状態が解除される。従って、表示ユニット２のヒンジキャビ１０への固定状態（ロック状態）が解除され、表示ユニット２の軸線７まわりの回転が可能となる。即ち、ロック用ピン１２のロック側先端部１４が、ロック穴部２０に挿入されていない状態にあるときは、軸線７まわりの回転を行うと、ロック側先端部１４とロック穴２０の接触がなくなるため、表示ユニット２の軸線７まわりの回転が可能となる。
【００２３】
図６、及び図７は、表示ユニット２を軸線６のまわりに矢印８の方向に回転させることにより、回転ロック機構によるロックが解除された状態を示している。ここで、図６は、表示ユニット２とキーユニット４との開閉用軸線６まわりの開閉角度が、上記ロック解除角度ｂよりも大きな９０度の場合を示しており、図７は、表示ユニット２とキーユニット４との開閉用軸線６まわりの開閉角度が、上記ロック解除角度ｂよりも大きな角度ｃ（ｃ＞９０度）の場合を示している。
【００２４】
これら図６、及び図７に示した状態においては、上述のごとく、表示ユニット２とキーユニット４との開閉用軸線６まわりの開閉角度が、各々、ロック解除角度ｂよりも大きいため、ロック用ピン１２のロック側先端部１４のヒンジキャビ穴部１５からの突出量が０以下の状態となり、ロック側先端部１４のロック穴部２０への収納状態が解除される。従って、表示ユニット２のヒンジキャビ１０への固定状態（ロック状態）が解除され、表示ユニット２の軸線７まわりの回転が可能となる。
【００２５】
ここで、上記ロック解除角度ｂは、開閉用軸線６のまわりに表示ユニット２の回転動作を行う際の開閉角度であるが、このロック解除角度ｂは、回転用軸線７のまわりに表示ユニット２の回転動作を行う際に、当該表示ユニット２とキーユニット４の接触を回避するための最小の開閉角度である。即ち、図８に示す表示ユニット２がキーユニット４に対して閉じている状態から、表示ユニット２を開閉軸６のまわりに角度ｂ回転させた図９に示す状態にすると、上述のごとく、ロック用ピン１２の位置の変化により、ロック用ピン１２のロック側先端部１４のヒンジキャビ穴部１５からの突出量が０以下の状態となり、表示ユニット２のヒンジキャビ１０への固定状態（ロック状態）が解除され、表示ユニット２の軸線７まわりの回転が可能となるが、その後、図１０に示す様に、軸線７まわりに表示ユニット２の回転動作を行っても、表示ユニット２側のコーナー部３６とキーユニット４の接触は起こらない。従って、当該コーナー部３６とキーユニット４が傷ついてしまうという弊害を回避することができることになる。
【００２６】
この表示ユニット２側のコーナー部３６とキーユニット４の接触の回避は、表示ユニット２の開閉軸線６まわりの開閉角度が、上記ロック解除角度ｂ以上の角度であれば実現することができることは言うまでもない。例えば、図６に示した開閉用軸線６まわりの開閉角度を９０度とした場合においては、図１１に示す表示ユニット部２がキーボード部４に対して閉じている状態から、図１２に示す様に、表示ユニット２を開閉軸線６のまわりに９０度回転させると、図９において説明した作用と同様の作用が起こり、表示ユニット２のヒンジキャビ１０への固定状態（ロック状態）が解除され、表示ユニット２の軸線７まわりの回転が可能となる。その後、図１３に示す様に、軸線７まわりに表示ユニット２の回転動作を行っても、表示ユニット２側のコーナー部３６とキーユニット４の接触は起こらない。
【００２７】
以上より、本実施形態によれば、表示ユニット２の開閉用軸線６まわりの開閉角度がロック解除角度ｂに満たない場合は、ロック側先端部１４がヒンジキャビ穴部１５から突出するとともにロック穴部２０に収納され、表示ユニット２はヒンジキャビ１０にロックされた状態にあるため、表示ユニット２が軸線６まわりに回転され、開かれた状態において、表示ユニット２の軸線７まわりの回転を抑止することができ、その結果、表示ユニット２側のコーナー部３６とキーユニット４の接触による損傷を確実に回避することができる。
【００２８】
又、本実施形態においては、表示ユニット２の開閉用軸線６まわりの開閉角度がロック解除角度ｂに満たない場合は、表示ユニット２はヒンジキャビ１０にロックされた状態にあるため、表示ユニット２の端部を持って、開閉用軸線６まわりに開閉を行う場合においても、上記表示ユニット２が軸線７を中心に回転することがないため、表示ユニット２の開閉をスムーズに行うことができる。
【００２９】
更に、本実施形態においては、表示ユニット２の開閉用軸線６まわりの開閉角度がロック解除角度ｂ以上の場合は、ロック側先端部１４がヒンジキャビ穴部１５から突出せず、表示ユニット２のロック状態が解除された状態となり、軸線７まわりに表示ユニット２が回転可能となるが、表示ユニット２が軸線６まわりに回転され、開かれた状態において、軸線７まわりに表示ユニット２の回転動作を行っても、表示ユニット２側のコーナー部３６とキーユニット４の接触は起こらない。従って、表示ユニット２側のコーナー部３６とキーユニット４の接触を起こすことなく、表示ユニット２の軸線７まわりの回転をスムーズに行うことができる。
【００３０】
尚、本実施形態においては、カム部１１、ロック用ピン１２、及びロック用ピン保持用バネ１３をヒンジユニット５側に設け、ロック穴部２０を表示ユニット２側に設ける構成としたが、カム部１１、ロック用ピン１２、及びロック用ピン保持用バネ１３を表示ユニット２側に設け、ロック穴部２０をヒンジユニット５側に設ける構成としても良い。この場合、ヒンジキャビ穴部１５、及び壁部１６は、表示ユニット２側に設けられ、ロック用ピン保持用バネ１３は、壁部１６とロック用ピン１２に設けられたストッパー１７との間に収容されることになる。
【００３１】
更に、本実施形態においては、情報処理装置５０において、１の回転ロック機構部を設けた場合を説明した、当該回転ロック機構部を複数設けた構成としても良い。例えば、回転用軸線７を中心として、１対の回転ロック機構部を設けることができる。この様に、回転ロック機構部を複数設けることにより、表示ユニット２の軸線７まわりの回転を確実に抑止することができる。
【００３２】
次に、図面を参照して、本発明の第２の実施形態を詳細に説明する。尚、本実施形態においては、上述した第１の実施形態に係る情報処理装置と同一構成部材には同一符号を付けて示している。図１４は、本発明の第２の実施形態に係る情報処理装置の斜視図であり、図１５は、図１４のＢ−Ｂ断面図であり、本実施形態における回転ロック機構部の構成を示している。
【００３３】
図１４において、情報処理装置５０は、大別すると、表示ユニット２と、キーユニット４と、表示ユニット２側とキーユニット４側とをつなぐ２軸のヒンジユニット２３にて構成されている。尚、図１４には図示していないが、図２、及び図３に示した第１の実施形態と同様に、表示ユニット２は表示部１を有しており、キーユニット４は入力キーボード３を有している。
【００３４】
ヒンジユニット２３は、第１の実施形態におけるヒンジユニット５と同様に、表示ユニット２とキーユニット４との開閉動作を行うための開閉用軸線６と、表示ユニット２を回転させる回転用軸線７を有しており、第１の実施形態と同様の機構により、表示ユニット２とヒンジユニット５は、表示ユニット２の開閉用軸線６、７まわりの回転が可能となるように連結されている。
【００３５】
図１５に示した回転ロック機構部は、回転ロック２２とロック溝２７から構成されており、回転ロック２２はヒンジユニット２３に設けられており、ロック溝２７は表示ユニット２に設けられている。即ち、本実施形態においては、第１の実施形態の回転ロック機構にて設けられていたロック用ピン１２とロック用ピン保持用バネ１３が設けられておらず、カム部１１の代わりに回転ロック２７が、ロック穴部２０の代わりにロック溝２７が各々設けられている。尚、ヒンジユニット２３は、回転ロック２２とヒンジカバー２４にて構成されている。
【００３６】
この回転ロック２７には、表示ユニット２とキーユニット４との開閉動作を行う際の回転用軸４０が貫通されており、当該回転ロック２７は情報処理装置５０の本体に固定されている。又、ヒンジカバー２４には切り欠き部２６が形成されており、回転ロック２２の先端部である突起部２５が切り欠き部２６より突出しており、表示ユニット２の軸線７まわりの回転が行われていない状態における図１４のＤ−Ｄ断面図である図１９に示す様に、この突起部２５が表示ユニット２に設けられたロック溝２７に挿入され、収納されている。
【００３７】
次に、本実施形態における回転ロック機構の動作について説明する。図１６〜図１８は、図１４に示したＢ−Ｂ断面図であり、図１６は、図１４に示した軸線６まわりの矢印８の方向に表示ユニット２を回転させることにより、回転ロック機構によるロックが解除される間際の状態を示している。
【００３８】
図１５に示す状態から、表示ユニット２を軸線６のまわりに回転させ開いていくと、当該回転動作により、ヒンジカバー２４も回転するが、この際、回転ロック２２は、表示ユニット２の軸線６まわりの回転動作には影響を受けず、情報処理装置５０の本体に常に固定されているため、回転ロック２２の突起部２５の切り欠き部２６からの突出量が変化する。
【００３９】
ここで、表示ユニット２とキーユニット４との開閉用軸線６まわりの開閉角度が、図１６に示す角度ｅに満たない角度ｄの場合は、回転ロック２２の突起部２５は切り欠き部２６から突出した状態にあり、突起部２５はロック溝２７に収納された状態のままである。従って、表示ユニット２はヒンジユニット２３に固定、ロックされたままになっており、表示ユニット２の軸線７まわりの回転が抑止されることになる。即ち、回転ロック２２の突起部２５が、ロック溝２７に挿入された状態にあるときは、軸線７まわりの回転を行うと、当該軸線７まわりの回転状態における図１４のＤ−Ｄ断面図である図２０に示す様に、突起部２５とロック溝２７の壁部２９が接触するため、表示ユニット２の軸線７まわりの回転が抑止されることになる。
【００４０】
表示ユニット２とキーユニット４との開閉用軸線６まわりの開閉角度が、図１６に示す角度ｄより大きい角度ｅ以上になると、突起部２５の切り欠き部２６からの突出量が０以下の状態となる。即ち、回転ロック２２の突起部２５が切り欠き部２６から突出しない状態となり、突起部２５のロック溝２７への収納状態が解除される。従って、表示ユニット２のヒンジユニット２３への固定状態（ロック状態）が解除され、表示ユニット２の軸線７まわりの回転が可能となる。即ち、回転ロック２７の突起部２５が、ロック溝２７に挿入されていない状態にあるときは、軸線７まわりの回転を行うと、突起部２５とロック溝２７の接触がなくなるため、表示ユニット２の軸線７まわりの回転が可能となる。
【００４１】
図１７、及び図１８は、表示ユニット２を軸線６まわりに矢印８の方向に回転させることにより、回転ロック機構によるロックが解除された状態を示している。ここで、図１７は、表示ユニット２とキーユニット４との開閉用軸線６まわりの開閉角度が、上記ロック解除角度ｅよりも大きな９０度の場合を示しており、図１８は、表示ユニット２とキーユニット４との開閉用軸線６まわりの開閉角度が、上記ロック解除角度ｅよりも大きな角度ｆ（ｆ＞９０度）の場合を示している。
【００４２】
これら図１７、及び図１８に示した状態においては、上述のごとく、表示ユニット２とキーユニット４との開閉用軸線６まわりの開閉角度が、各々、ロック解除角度ｅよりも大きいため、回転ロック２２の突起部２５の切り欠き部２６からの突出量が０以下の状態となり、突起部２５のロック溝２７への収納状態が解除される。従って、表示ユニット２のヒンジユニット２３への固定状態（ロック状態）が解除され、表示ユニット２の軸線７まわりの回転が可能となる。
【００４３】
このロック解除角度ｅは、第１の実施形態におけるロック解除角度ｂと同様に、回転軸７のまわりに表示ユニット２の回転動作を行う際に、当該表示ユニット２とキーボード部４の接触を回避するための最小の開閉角度である。即ち、表示ユニット２の開閉用軸線６まわりの開閉角度が、上記ロック解除角度ｅ以上の角度であれば、回転ロック２２の突起部２５の切り欠き部２６からの突出量が０以下の状態となり、表示ユニット２のヒンジユニット２３への固定状態（ロック状態）が解除され、表示ユニット２の軸線７まわりの回転が可能となり、その後、軸線７まわりに表示ユニット２の回転動作を行っても、図１０に示した第１の実施形態と同様に、表示ユニット２側のコーナー部３６とキーユニット４の接触は起こらない。従って、当該コーナー部３６とキーユニット４が傷ついてしまうという弊害を回避することができることになる。
【００４４】
以上より、本実施形態によれば、表示ユニット２の開閉用軸線６まわりの開閉角度がロック解除角度ｅに満たない場合は、突起部２５が切り欠き部２６から突出するとともにロック溝２７に収納され、表示ユニット２はヒンジユニット２３にロックされた状態にあるため、表示ユニット２が軸線６まわりに回転され、開かれた状態において、表示ユニット２の軸線７まわりの回転を抑止することができ、その結果、表示ユニット２側のコーナー部３６とキーユニット４の接触による損傷を確実に回避することができる。又、表示ユニット２の端部を持って、開閉用軸線６まわりに開閉を行う場合においても、上記表示ユニット２が軸線７を中心に回転することがないため、表示ユニット２の開閉をスムーズに行うことができる。
【００４５】
更に、本実施形態においては、表示ユニット２の開閉用軸線６まわりの開閉角度がロック解除角度ｅ以上の場合は、突起部２５が切り欠き部２６から突出せず、表示ユニット２のロック状態が解除された状態となり、軸線７まわりに表示ユニット２が回転可能となるが、表示ユニット２が軸線６まわりに回転され、開かれた状態において、軸線７まわりに表示ユニット２の回転動作を行っても、表示ユニット２側のコーナー部３６とキーユニット４の接触は起こらない。従って、表示ユニット２側のコーナー部３６とキーユニット４の接触を起こすことなく、表示ユニット２の軸線７まわりの回転をスムーズに行うことができる。
【００４６】
尚、本実施形態においては、回転ロック２２をヒンジユニット２３側に設け、ロック溝２７を表示ユニット２側に設ける構成としたが、回転ロック２２を表示ユニット２側に設け、ロック溝２７をヒンジユニット２３側に設ける構成としても良い。
【００４７】
更に、本実施形態においては、情報処理装置５０において、１の回転ロック機構部を設けた場合を説明した、当該回転ロック機構部を複数設けた構成としても良い。例えば、第１の実施形態と同様に、回転軸線７を中心として、１対の回転ロック機構部を設けることができる。この様に、回転ロック機構部を複数設けることにより、表示ユニット２の軸線７まわりの回転を確実に抑止することができる。
【００４８】
次に、図面を参照して、本発明の第３の実施形態を詳細に説明する。尚、本実施形態においても、上述した第１の実施形態に係る情報処理装置と同一構成部材には同一符号を付けて示している。図２１は、本発明の第３の実施形態に係る情報処理装置の斜視図であり、図２２は、図２１のＣ−Ｃ断面図であり、本実施形態における回転ロック機構部の構成を示している。
【００４９】
図２１における情報処理装置５０においては、上記第１の実施例と同様に、表示ユニット２と、キーユニット４と、表示ユニット２側とキーユニット４側とをつなぐ２軸のヒンジユニット５にて構成されている。尚、図２１には図示していないが、図２、及び図３に示した第１の実施形態と同様に、表示ユニット２は表示部１を有しており、キーユニット４は入力キーボード３を有している。
【００５０】
ヒンジユニット５の開閉用軸線６、回転用軸線７、及び表示ユニット２とヒンジユニット５の連結機構に関しては、図１〜図３に示す第１の実施形態における情報処理装置５０と同様であるので、ここでは詳しい説明を省略する。
【００５１】
図２２に示した回転ロック機構部は、ロックリブ３１とロック溝３２から構成されており、ロックリブ３１はキーユニット４に設けられており、ロック溝３２は表示ユニット２に設けられている。即ち、本実施形態においては、第１、及び第２の実施形態において、ヒンジユニット５、２３に設けられていたカム部１１や回転ロック２２等の別物品が設けられておらず、キーユニット４にロックリブ３１を設けた構成となっている。表示ユニット２を軸線６のまわりに回転させていない状態においては、図２２、及び表示ユニット２の軸線７まわりの回転が行われていない状態における図２１のＥ−Ｅ断面図である図２６に示す様に、キーユニット４に設けられたロックリブ３１が表示ユニット２に設けられたロック溝３２に挿入され、収納されている。
【００５２】
次に、本実施形態における回転ロック機構の動作について説明する。図２３〜図２５は、図２１に示したＣ−Ｃ断面図であり、図２３は、図２１に示した軸線６まわりに、矢印８の方向に表示ユニット２を回転させることにより、回転ロック機構によるロックが解除される間際の状態を示している。
【００５３】
図２２に示す状態から、表示ユニット２を軸線６のまわりに回転させ開いていくと、当該回転動作により、表示ユニット２が回転するが、この際、ロックリブ３１は、表示ユニット２の軸線６まわりの回転動作には影響を受けず、情報処理装置５０の本体、より詳しく言えば、キーユニット４に常に固定されているため、ロックリブ３１のロック溝３２への収納量が変化する。
【００５４】
ここで、表示ユニット２とキーユニット４との開閉用軸線６まわりの開閉角度が、図２３に示す角度ｈに満たない角度ｇの場合は、ロックリブ３１はロック溝３２に収容された状態のままである。従って、表示ユニット２はキーユニット４に固定、ロックされたままになっており、表示ユニット２の軸線７まわりの回転が抑止されることになる。即ち、ロックリブ３１が、ロック溝３２に挿入された状態にあるときは、表示ユニット２を軸線７まわりに回転させようすると、当該軸線７まわりの回転状態における図２１のＥ−Ｅ断面図である図２７に示す様に、ロックリブ３１とロック溝３２の壁部３４が接触するため、表示ユニット２の軸線７まわりの回転が抑止されることになる。
【００５５】
表示ユニット２とキーユニット４との開閉用軸線６まわりの開閉角度が、図２３に示す角度ｇより大きい角度ｈ以上になると、ロックリブ３１のロック溝３２への収納状態が解除されるため、表示ユニット２のキーユニット４への固定状態（ロック状態）が解除され、表示ユニット２の軸線７まわりの回転が可能となる。即ち、ロックリブ３１が、ロック溝３２に挿入されていない状態にあるときは、軸線７まわりの回転を行うと、ロックリブ３１とロック溝３２の接触がなくなるため、表示ユニット２の軸線７まわりの回転が可能となる。
【００５６】
図２４、及び図２５は、表示ユニット２を軸線６のまわりに矢印８の方向に回転させることにより、回転ロック機構によるロックが解除された状態を示している。ここで、図２４は、表示ユニット２とキーユニット４との開閉用軸線６まわりの開閉角度が、上記ロック解除角度ｈよりも大きな９０度の場合を示しており、図２５は、表示ユニット２とキーユニット４との開閉用軸線６まわりの開閉角度が、上記ロック解除角度ｈよりも大きな角度ｉ（ｉ＞９０度）の場合を示している。
【００５７】
これら図２４、及び図２５に示した状態においては、上述のごとく、表示ユニット２とキーユニット４との開閉用軸線６まわりの開閉角度が、各々、ロック解除角度ｈよりも大きいため、ロックリブ３１のロック溝３２への収納状態が解除される。従って、表示ユニット２のキーユニット４への固定状態（ロック状態）が解除され、表示ユニット２の軸線７まわりの回転が可能となる。
【００５８】
このロック解除角度ｈは、第１の実施形態におけるロック解除角度ｂ、及び第２の実施形態におけるロック解除角度ｅと同様に、回転軸線７のまわりに表示ユニット２の回転動作を行う際に、当該表示ユニット２とキーユニット４の接触を回避するための最小の開閉角度である。即ち、表示ユニット２の開閉軸線６まわりの開閉角度が、上記ロック解除角度ｈ以上の角度であれば、表示ユニット２のキーユニット４への固定状態（ロック状態）が解除され、表示ユニット２の軸線７まわりの回転が可能となり、その後、表示ユニット２が軸線６まわりに回転され、開かれた状態において、軸線７まわりに表示ユニット２の回転動作を行っても、図１０に示した第１の実施形態と同様に、表示ユニット２側のコーナー部３６とキーユニット４の接触は起こらない。従って、当該コーナー部３６とキーユニット４が傷ついてしまうという弊害を回避することができることになる。
【００５９】
以上より、本実施形態によれば、表示ユニット２の開閉用軸線６まわりの開閉角度がロック解除角度ｈに満たない場合は、ロックリブ３１がロック溝３２に収納され、表示ユニット２はキーユニット４にロックされた状態にあるため、表示ユニット２の軸線７まわりの回転を抑止することができ、その結果、表示ユニット２側のコーナー部３６とキーユニット４の接触による損傷を確実に回避することができる。又、表示ユニット２の端部を持って、開閉用軸線６まわりに開閉を行う場合においても、上記表示ユニット２が軸線７を中心に回転することがないため、表示ユニット２の開閉をスムーズに行うことができる。
【００６０】
更に、本実施形態においては、表示ユニット２の開閉用軸線６まわりの開閉角度がロック解除角度ｈ以上の場合は、表示ユニット２のロック状態が解除された状態となり、軸線７まわりに表示ユニット２が回転可能となるが、軸線７まわりに表示ユニット２の回転動作を行っても、表示ユニット２側のコーナー部３６とキーユニット４の接触は起こらない。従って、表示ユニット２側のコーナー部３６とキーユニット４の接触を起こすことなく、表示ユニット２の軸線７まわりの回転をスムーズに行うことができる。
【００６１】
尚、本実施形態においては、ロックリブ３１をキーユニット４側に設け、ロック溝３２を表示ユニット２側に設ける構成としたが、ロックリブ３１を表示ユニット２側に設け、ロック溝３２をキーユニット４側に設ける構成としても良い。
【００６２】
更に、本実施形態においては、情報処理装置５０において、１の回転ロック機構部を設けた場合を説明したが、当該回転ロック機構部を複数設けた構成としても良い。例えば、第１の実施形態と同様に、回転軸線７を中心として、１対の回転ロック機構部を設けることができる。この様に、回転ロック機構部を複数設けることにより、表示ユニット２の軸線７まわりの回転を確実に抑止することができる。
【００６３】
尚、本発明は、上記実施の形態に限定されるものではなく、本発明の趣旨に基づいて各部の構造、形状等を適宜変更することが可能であり、それらを本発明の範囲から除外するものではない。
【００６４】
【発明の効果】
以上、説明した様に、本発明によれば、ヒンジユニットが有する回転用軸線まわりの表示ユニットの回転を拘束する回転ロック機構部を設けることにより、表示ユニットの回転用軸線まわりの開閉角度が所定のロック解除角度に満たない場合は、表示ユニットの回転用軸線まわりの回転を抑止することができる。その結果、表示ユニット側のコーナー部とキーユニットの接触による損傷を確実に回避することができる。
【図面の簡単な説明】
【図１】は、本発明の第１の実施形態に係る情報処理装置の斜視図である。
【図２】は、図１に示した本発明の第１の実施形態における情報処理装置において、開閉用軸線まわりに表示ユニットの回転動作を行った状態を示す斜視図である。
【図３】は、図２に示した本発明の第１の実施形態おける情報処理装置において、表示ユニットの回転軸線のまわりに回転動作を行った状態を示す斜視図である。
【図４】は、図１のＡ−Ａ断面図であり、本発明の第１の実施形態における回転ロック機構部の構成を説明するための図である。
【図５】は、図１のＡ−Ａ断面図であり、本発明の第１の実施形態における回転ロック機構部によるロック状態が解除される間際の状態を説明するための図である。
【図６】は、図１のＡ−Ａ断面図であり、本発明の第１の実施形態における回転ロック機構部によるロック状態が解除された状態を説明するための図である。
【図７】は、図１のＡ−Ａ断面図であり、本発明の第１の実施形態における回転ロック機構部によるロック状態が解除された状態を説明するための図である。
【図８】は、本発明の第１の実施形態における情報処理装置において、表示ユニット部がキーユニットに対して閉じている状態を説明するための側面図である。
【図９】は、本発明の第１の実施形態における情報処理装置において、表示ユニットを開閉軸線のまわりに角度ｂ回転させた状態を説明するための側面図である。
【図１０】は、本発明の第１の実施形態における情報処理装置において、回転軸線まわりに表示ユニットを回転させた状態を説明するための側面図である。
【図１１】は、本発明の第１の実施形態における情報処理装置において、表示ユニットがキーユニットに対して閉じている状態かを説明するための側面図である。
【図１２】は、本発明の第１の実施形態における情報処理装置において、表示ユニットを開閉軸線のまわりに９０度回転させた状態を説明するための側面図である。
【図１３】は、本発明の第１の実施形態における情報処理装置において、回転軸線まわりに表示ユニットを回転させた状態を説明するための側面図である。
【図１４】は、本発明の第２の実施形態に係る情報処理装置の斜視図である。
【図１５】は、図１４のＢ−Ｂ断面図であり、本発明の第２の実施形態における回転ロック機構部の構成を説明するための図である。
【図１６】は、図１４のＢ−Ｂ断面図であり、本発明の第２の実施形態における回転ロック機構部によるロック状態が解除される間際の状態を説明するための図である。
【図１７】は、図１４のＢ−Ｂ断面図であり、本発明の第２の実施形態における回転ロック機構部によるロック状態が解除された状態を説明するための図である。
【図１８】は、図１４のＢ−Ｂ断面図であり、本発明の第２の実施形態における回転ロック機構部によるロック状態が解除された状態を説明するための図である。
【図１９】は、図１４のＤ−Ｄ断面図であり、表示ユニットの回転軸線まわりの回転が行われていない状態を説明するための図である。
【図２０】は、図１４のＤ−Ｄ断面図であり、表示ユニットの回転軸線まわりの回転が抑止される状態を説明するための図である。
【図２１】は、本発明の第３の実施形態に係る情報処理装置の斜視図である。
【図２２】は、図２１のＣ−Ｃ断面図であり、本発明の第３の実施形態における回転ロック機構部の構成を説明するための図である。
【図２３】は、図２１のＣ−Ｃ断面図であり、本発明の第３の実施形態における回転ロック機構部によるロック状態が解除される間際の状態を説明するための図である。
【図２４】は、図２１のＣ−Ｃ断面図であり、本発明の第３の実施形態における回転ロック機構部によるロック状態が解除された状態を説明するための図である。
【図２５】は、図２１のＣ−Ｃ断面図であり、本発明の第３の実施形態における回転ロック機構部によるロック状態が解除された状態を説明するための図である。
【図２６】は、図２１のＥ−Ｅ断面図であり、表示ユニットの回転軸線まわりの回転が行われていない状態を説明するための図である。
【図２７】は、図２１のＥ−Ｅ断面図であり、表示ユニットの回転軸線まわりの回転が抑止される状態を説明するための図である。
【図２８】は、従来の２軸ヒンジ装置を用いた情報処理装置において、表示ユニットの開閉動作中に回転動作を行った状態を示す斜視図である。
【図２９】は、従来の２軸ヒンジ装置を用いた情報処理装置において、表示ユニット部がキーユニットに対して閉じている状態を説明するための側面図である。
【図３０】は、従来の２軸ヒンジ装置を用いた情報処理装置において、表示ユニットを開閉軸線のまわりに角度α回転させた状態を説明するための側面図である。
【図３１】は、従来の２軸ヒンジ装置を用いた情報処理装置において、回転軸線まわりに表示ユニットを回転させた状態を説明するための側面図である。
【符号の説明】
１　　　表示部
２　　　表示ユニット
３　　　入力キーボード
４　　　キーユニット
５　　　ヒンジユニット
６　　　開閉用軸線
７　　　回転用軸線
１０　　ヒンジキャビ
１１　　カム部
１２　　ロック用ピン
１３　　ロック用ピン保持用バネ
１４　　ロック側先端部
１５　　ヒンジキャビ穴部
１６　　壁部
１７　　ストッパー
１８　　カム側先端部
２０　　ロック穴部
２２　　回転ロック
２３　　ヒンジユニット
２５　　突起部
２６　　切り欠き部
２７　　ロック溝
２９　　壁部
３１　　ロックリブ
３２　　ロック溝
３４　　壁部
【図１】
2004118409.tif 000003
【図２】
2004118409.tif 000004
【図３】
2004118409.tif 000005
【図４】
2004118409.tif 000006
【図５】
2004118409.tif 000007
【図６】
2004118409.tif 000008
【図７】
2004118409.tif 000009
【図８】
2004118409.tif 000010
【図９】
2004118409.tif 000011
【図１０】
2004118409.tif 000012
【図１１】
2004118409.tif 000013
【図１２】
2004118409.tif 000014
【図１３】
2004118409.tif 000015
【図１４】
2004118409.tif 000016
【図１５】
2004118409.tif 000017
【図１６】
2004118409.tif 000018
【図１７】
2004118409.tif 000019
【図１８】
2004118409.tif 000020
【図１９】
2004118409.tif 000021
【図２０】
2004118409.tif 000022
【図２１】
2004118409.tif 000023
【図２２】
2004118409.tif 000024
【図２３】
2004118409.tif 000025
【図２４】
2004118409.tif 000026
【図２５】
2004118409.tif 000027
【図２６】
2004118409.tif 000028
【図２７】
2004118409.tif 000029
【図２８】
2004118409.tif 000030
【図２９】
2004118409.tif 000031
【図３０】
2004118409.tif 000032
【図３１】
2004118409.tif 000033